(57)【要約】【課題】サブフィールド駆動で階調変化時の乖離を少なくする。【解決手段】フレームは、１以上のブロックであり、一のブロックは、Ｐ（Ｐは２以上の整数）個のサブフィールドに分割され、Ｐ個のサブフィールドでは、ブロックの終端に向かうに連れて時間長が徐々に長くなるように配列している。  映像データで指定される階調値を、Ｐ個のサブフィールド毎に、画素のオンまたはオフを指定するサブフィールドコードに変換し、前フレームのサブフィールドコードのうち、後端側のＱ（ＱはＰよりも小さい１以上の整数）個のコード、および、現フレームのサブフィールドコードのうち、後端側のＱ個のコード同士を比較し、現フレームのサブフィールドコードのうち、所定ブロックの前端側の一部について、比較の結果に基づいたコードに変更する。【選択図】図８
2020064103.tif 000002
【特許請求の範囲】
【請求項１】
画素を、所定のフレームで、映像データで指定される階調値に応じた明るさとなるように制御する電気光学装置の駆動方法であって、
前記フレームは、１個以上のブロックであり、
一のブロックでは、
Ｐ（Ｐは２以上の整数）個のサブフィールドに分割されるとともに、前記Ｐ個のサブフィールドを、ブロックの終端に向かうに連れて時間長が長くなるように配列し、
前記映像データで指定される階調値を、前記Ｐ個のサブフィールド毎に、前記画素のオンまたはオフを指定するサブフィールドコードに変換し、
前記サブフィールドコードのうち、後端側のＱ（ＱはＰよりも小さい１以上の整数）個のサブフィールドコードを、前記階調値が前記画素のオフの明るさに向かう場合に、ブロックの終端側のサブフィールドから順番に前記オフに指定し、
前記駆動方法では、
前フレームのサブフィールドコードのうち、後端側のＱ個のコード、および、現フレームのサブフィールドコードのうち、後端側のＱ個のコード同士を比較し、
現フレームのサブフィールドコードのうち、所定ブロックの前端側の（Ｐ−Ｑ）個のサブフィールドコードの一部について、前記比較の結果に基づいたサブフィールドコードに変更する
電気光学装置の駆動方法。
【請求項２】
前記比較の結果、相違するコード数が大きくなるにつれて、
前端側のコードから順番に変更する
請求項１に記載の電気光学装置の駆動方法。
【請求項３】
前記比較では、
前フレームのサブフィールドコードにおける後端側のＱ個のコードと、現フレームのサブフィールドコードにおける後端側のＱ個のコードとの相違数を算出し、
現フレームのサブフィールドコードにおける前端側のコードのうち、算出した相違数に応じた分のコードを変更する
請求項２に記載の電気光学装置の駆動方法。
【請求項４】
前記比較では、
前フレームの階調値と現フレームの階調値とを比較して、階調値の変化方向を特定し、
現フレームのサブフィールドコードにおける前端側のコードを、
前記階調値の変化方向が前記画素のオフの明るさに向かう場合、オフのコードに変更し、
前記階調値の変化方向が前記画素のオンの明るさに向かう場合、オンのコードに変更する
請求項１乃至３のいずれかに記載の電気光学装置の駆動方法。
【請求項５】
前記所定のブロックは、前記フレームにおいて１番目のブロックである
請求項１乃至４のいずれかに記載の電気光学装置。
【請求項６】
前記フレームが２個以上のブロックを有する場合に、
前記所定のブロックは、前記フレームにおいて１番目以外のブロックである
請求項１乃至４のいずれかに記載の電気光学装置。
【請求項７】
画素を、所定のフレームに、映像データで指定される階調値に応じた明るさとなるように制御し、
前記フレームは、１個以上のブロックであり、
一のブロックでは、
Ｐ（Ｐは２以上の整数）個のサブフィールドに分割されるとともに、前記Ｐ個のサブフィールドを、ブロックの終端に向かうに連れて時間長が長くなるように配列した電気光学装置であって、
前記映像データで指定される階調値を、前記Ｐ個のサブフィールド毎に、前記画素のオンまたはオフを指定するサブフィールドコードに変換し、  前記サブフィールドコードのうち、後端側のＱ（ＱはＰよりも小さい１以上の整数）個のサブフィールドコードを、前記階調値が前記画素のオフの明るさに向かう場合に、ブロックの終端側のサブフィールドから順番に前記オフに指定するサブフィールドコード変換部と、
前フレームのサブフィールドコードのうち、後端側のＱ個のコード、および、現フレームのサブフィールドコードのうち、後端側のＱ個のコード同士を比較する比較部と、
現フレームのサブフィールドコードのうち、所定ブロックの前端側の（Ｐ−Ｑ）個のサブフィールドコードの一部について、前記比較の結果に基づいたサブフィールドコードに変更するサブフィールドコード変更部と、
を有する電気光学装置。
【請求項８】
請求項７の電気光学装置を有する電子機器。
【発明の詳細な説明】
【技術分野】
【０００１】
本発明は、電気光学装置の駆動方法、電気光学装置および電子機器に関する。
【背景技術】
【０００２】
電気光学装置のうち、電気光学素子に液晶素子を用いると、動画を表示させる際に光学応答が十分でないことに起因して、ぼやけ感が発生する。このぼやけ感を低減するために、いわゆるオーバードライブという技術がある（特許文献１参照）。このオーバードライブは、階調の変化が発生する場合に、液晶素子に目的とする階調に応じたアナログ電圧よりも過剰な電圧を印加することによって、変化後に、目的とする階調が結果的に得られるようにする技術である。
【０００３】
一方、電気光学装置では、１フレームを分割した複数のサブフィールド毎に、電気光学素子をオンまたはオフのいずれか一方で駆動するとともに、オンまたはオフで駆動する時間の割合を変化させることによって中間階調を表現する、いわゆるサブフィールド駆動も提案されている（特許文献２参照）。
【先行技術文献】
【特許文献】
【０００４】
【特許文献１】特開平６−１８９２３２号公報
【特許文献２】特開２００１−３３７６４３号公報
【発明の概要】
【発明が解決しようとする課題】
【０００５】
しかしながら、サブフィールド駆動では、電気光学素子に印加される電圧は、オンさせるためのオン電圧、または、オフさせるためのオフ電圧の２種類のみ、という制約を受ける。このため、電気光学素子の光学応答を改善するために、オーバードライブとサブフィールド駆動とを組み合わせることを想定した場合、電気光学素子を目的とする階調に応じた電圧よりも過剰なアナログ電圧を印加する、という矛盾に直面する。
【課題を解決するための手段】
【０００６】
上記課題の一つを解決するために、本発明の一態様に係る電気光学装置の駆動方法は、  画素を、所定のフレームで、映像データで指定される階調値に応じた明るさとなるように制御する電気光学装置の駆動方法であって、前記フレームは、１個以上のブロックであり、一のブロックでは、Ｐ（Ｐは２以上の整数）個のサブフィールドに分割されるとともに、前記Ｐ個のサブフィールドを、ブロックの終端に向かうに連れて時間長が長くなるように配列し、前記映像データで指定される階調値を、前記Ｐ個のサブフィールド毎に、前記画素のオンまたはオフを指定するサブフィールドコードに変換し、前記サブフィールドコードのうち、後端側のＱ（ＱはＰよりも小さい１以上の整数）個のサブフィールドコードを、前記階調値が前記画素のオフの明るさに向かう場合に、ブロックの終端側のサブフィールドから順番に前記オフに指定し、前記駆動方法では、前フレームのサブフィールドコードのうち、後端側のＱ個のコード、および、現フレームのサブフィールドコードのうち、後端側のＱ個のコード同士を比較し、現フレームのサブフィールドコードのうち、所定ブロックの前端側の（Ｐ−Ｑ）個のサブフィールドコードの一部について、前記比較の結果に基づいたサブフィールドコードに変更する。
【図面の簡単な説明】
【０００７】
【図１】実施形態に係る電気光学装置の構成を示す斜視図である。
【図２】電気光学装置のうち、液晶パネルの構造を示す断面図である。
【図３】電気光学装置の電気的な構成を示すブロック図である。
【図４】液晶パネルにおける画素の等価回路を示す図である。
【図５】液晶パネルにおける画素電極に印加される電圧の種類を示す図である。
【図６】電気光学装置におけるサブフィールドの配列を図である。
【図７】電気光学装置の動作を説明するための図である。
【図８】電気光学装置における処理回路の構成を示す図である。
【図９】処理回路におけるＳｆｃ変換テーブルの変換内容の一例を示す図である。
【図１０】液晶パネルにおける光学応答を示す図である。
【図１１】サブフィールドコードの後端４ビットと終端透過率との関係を示す図である。
【図１２】サブフィールドコードの変更動作を示すフローチャートである。
【図１３】サブフィールドコードの後端４コードの相違数を示す図である。
【図１４】サブフィールドコードが変更されない場合の光学応答を示す図である。
【図１５】サブフィールドコードが変更される場合の光学応答を示す図である。
【図１６】実施形態等に係る電気光学装置を適用した液晶プロジェクターの構成を示す図である。
【発明を実施するための形態】
【０００８】
以下、本発明を実施するための形態について図面を参照して説明する。
【０００９】
図１は、実施形態に係る電気光学装置１の構成を示す斜視図である。この電気光学装置１は、例えば液晶プロジェクターのライトバルブとして用いられる透過型の液晶パネル１０を含む。電気光学装置１では、液晶パネル１０が矩形状の表示領域で開口する枠状のケース７２に収納される、液晶パネル１０にはＦＰＣ基板７４の一端が接続されている。なお、ＦＰＣは、Flexible Printed Circuitsの略語である。ＦＰＣ基板７４の他端には、複数の端子７６が設けられて、図示省略された上位装置に接続される。ＦＰＣ基板７４には、半導体チップの制御回路３が実装されるとともに、当該上位装置から複数の端子７６を介して映像データが同期信号に同期して供給される。
【００１０】
なお、映像データとは、表示すべき画像の画素の階調値をＲＧＢ毎に、本実施形態では７ビットで規定する。また、同期信号には、表示領域における画面の走査開始を指示する垂直同期信号や、上記画面のうち１行（ライン）の水平走査の開始を指示する水平同期信号、および、映像データの１画素分のタイミングを示すドットクロック信号が含まれる。
制御回路３の詳細については後述する。また、図１において表示領域の長手方向をＸ方向とし、短手方向をＹ方向とし、光の入射方向をＺ方向としている。
【００１１】
図２は、液晶パネル１０を、図１におけるＹＺ平面に沿って破断した場合の構造を示す断面図である。図２に示されるように、液晶パネル１０は、基材１０１に各種素子や画素電極１１８等が形成された素子基板１００と、基材２０１に対向電極２０８等が形成された対向基板２００とが、スペーサー７を含むシール材９によって、一定の間隙を保って、かつ、電極形成面が互いに対向するように貼り合わせられるとともに、この間隙に例えば液晶５が封入された構成となっている。
なお、本実施形態では、基材１０１および２０１には、それぞれ光透過性を有する基板が用いられる。
【００１２】
素子基板１００において、対向基板２００との対向面であって、シール材９の外側一辺に位置する領域には、複数の端子１０７が形成されて、ＦＰＣ基板７４（図２では省略）が接続される。
また、対向基板２００に設けられる対向電極２０８は、銀ペースト等などの導通材（図示省略）によって、素子基板１００に形成された複数の端子１０７のいずれかに電気的に接続されて、時間的にほぼ一定の電圧が印加される。
【００１３】
図３は、電気光学装置１の電気的な構成を示すブロック図であり、図４は、電気光学装置１のうち、液晶パネル１０における画素Ｐの等価回路を示す図である。
図３に示されるように、電気光学装置１は、制御回路３と液晶パネル１０とを含む。このうち、制御回路３は、処理回路３０と走査制御回路３５とを含む。また、液晶パネル１０は、Ｘ方向に延在して形成されたｍ本の走査線１１２と、Ｙ方向に延在して形成されたｎ本のデータ線１１４と、ｍ本の走査線１１２およびｎ本のデータ線１１４との各交差に対応して形成された画素Ｐと、走査線駆動回路１３０と、データ線駆動回路１４０と、を含む。
なお、ｍ、ｎはいずれも２以上の整数である。
【００１４】
制御回路３には、上位装置から映像データＶid-inおよび同期信号Ｓyncが供給される。このうち、制御回路３は、処理回路３０および走査制御回路３５を含む。処理回路３０は、映像データＶid-inの階調値を、画素Ｐに含まれる液晶素子をオンまたはオフのいずれかで駆動するデータ信号Ｖsfに変換して、データ線駆動回路１４０に供給する。走査制御回路３５は、同期信号Ｓyncに基づいて、走査線駆動回路１３０およびデータ線駆動回路１４０を制御するとともに、処理回路３０に、後述するサブフィールドうち、走査中であるサブフィールドを示す番号Ｓfnや、当該サブフィールドにおける書込極性を指定する。
【００１５】
走査線駆動回路１３０は、走査制御回路３５から供給される制御信号Ｙctrにしたがって、サブフィールド毎に、走査信号Ｙ１、Ｙ２、Ｙ３、…、Ｙｍを、順に１行目、２行目、３行目、…、ｍ行目の走査線１１２に供給する。詳細には、走査線駆動回路１３０は、サブフィールド毎に、１行目からｍ行目までの走査線１１２を順次排他的に選択して、選択した走査線１１２にＨレベルの走査信号を供給し、選択していない走査線１１２にＬレベルの走査信号を供給する。
【００１６】
データ線駆動回路１４０は、走査線駆動回路１３０によってｉ行目の走査線１１２が選択されている期間において、処理回路３０から供給されるデータ信号Ｖsfを、走査制御回路３５から供給される供給される制御信号Ｘctrにしたがってデータ信号Ｘ１、Ｘ２、Ｘ３、…、Ｘｎとして、１列目、２列目、３列目、…、ｎ列目のデータ線１１４に供給する。
なお、ｉは、ｍ本の走査線１１２のうち、ある１本の走査線１１２について一般化して説明するために用いられる符号であり、１以上ｍ以下の任意の整数である。
【００１７】
図４に示されるように、走査線１１２とデータ線１１４との交差に対応して設けられる画素Ｐでは、例えばＮチャネル型の薄膜トランジスター１１６のゲート領域が走査線１１２に接続され、そのソース領域がデータ線１１４に接続され、そのドレイン領域が画素電極１１８に接続されている。
本実施形態では、上述したように画素電極１１８は、電圧Ｖcomが印加された対向電極２０８に対向し、さらに、両電極間に液晶５が位置するので、液晶素子は、一端を画素電極１１８とし、他端を対向電極２０８として液晶５を挟持した容量となる。
【００１８】
このような構成において、ある１本の走査線１１２と、ある１本のデータ線１１４との交差に対応する画素Ｐにおいて、当該走査線１１２に供給される走査信号がＨレベルになると、当該画素Ｐでは、薄膜トランジスター１１６がオンして、液晶素子には、当該データ線１１４に供給された信号の電圧と、対向電極２０８の電圧Ｖcomとの差に相当する電圧が書き込まれる。
当該走査線１１２に供給される走査信号がＬレベルになると、薄膜トランジスター１１６がオフするが、液晶素子は、薄膜トランジスター１１６がオンのときに書き込まれた電圧が、その容量性により保持される。
なお、本説明において、電圧は、液晶素子のように特に説明のない場合を除き、例えば走査線１１２に印加される非選択電圧のＬレベルを０ボルトの基準としている。
【００１９】
さて、素子基板１００および対向基板２００の各対向面には、それぞれ液晶５における分子方向が所定方向に配向させる配向膜が設けられる一方、その各背面側には、吸収軸が配向方向に応じた方向になるように、偏光子がそれぞれ設けられている。
このため、液晶パネル１０は、液晶素子に印加される電圧実効値がゼロであれば、透過率が最小となる一方、電圧実効値が大きくなるにつれて、透過率が徐々に増加し、ついには透過率が最大となるノーマリーブラックモードとなっている。
配向膜や偏光子などについては、本件とは直接関係しないので、その図示について省略されている。
なお、ここでは液晶パネルを透過型としているので、透過率としているが、反射型であれば、透過率を反射率として読み替えることができる。また、電気光学素子としてＯＬＥＤのような自発光型を用いるのであれば、明るさを示す比率に読み替えることができる。
【００２０】
ノーマリーブラックモードにおいて、最も暗い状態の透過率を０％とし、最も明るい状態の透過率を１００％として正規化したとき、液晶素子への印加電圧のうち、相対透過率が１０％となる電圧を光学的しきい値電圧といい、相対透過率が９０％となる電圧を光学的飽和電圧という。
電圧変調方式において、画素Ｐを中間階調とさせる場合であれば、液晶素子には、光学的しきい値以上であって光学的飽和電圧以下の電圧が印加されるように設計される。このように設計されると、画素Ｐの透過率は、液晶素子への印加電圧に反映した値となる。
【００２１】
電圧変調方式に対して、本実施形態では、サブフィールド駆動であるから、液晶素子への印加電圧を飽和電圧以上とするオン、または、しきい値電圧以下のオフのいずれか一方で駆動する構成となっている。この構成において、画素Ｐにおいて中間階調を表現するために、１フレームを複数に分割したサブフィールドを単位として液晶素子をオンまたはオフで駆動して、１フレームにわたったオン（またはオフ）で駆動する期間の配分を制御する構成となっている。
【００２２】
ここで、液晶素子をオンに駆動する場合に、当該液晶素子の画素電極１１８には、対向電極２０８の電圧Ｖcomに対して絶対値で飽和電圧以上のオン信号が印加される。このオン信号の電圧は、電圧Ｖcomよりも高位側の正極性のオン電圧と、低位側の負極性のオン電圧との２種類がある。
一方、液晶素子をオフに駆動する場合に、当該液晶素子の画素電極１１８には、電圧Ｖcomに対して絶対値で光学的しきい値電圧以下とさせるオフ信号の電圧が印加される。本実施形態では、オフ信号の電圧としては、正極性と負極性とで兼用するために電圧Ｖcomが用いられる。
【００２３】
図５は、画素電極１１８に印加されるオン信号およびオフ信号の電圧を、対向電極２０８に印加される電圧Ｖcomとの関係で示す図である。例えば、電圧Ｖcomを７ボルトとして、正極性のオン信号の電圧を１２ボルトとした場合、負極性のオン信号の電圧は対称性を持たせるために２ボルトとなる。なお、正極性のオフ信号および負極性のオフ信号は、それぞれ電圧Ｖcomと同じ７ボルトとなる。
【００２４】
図６は、サブフィールドの配列を示す図である。この図に示されるように、１フレームは、時間的な順序でみて、サブフィールドＳｆ１〜Ｓｆ２０に分割される。
ここで、「１フレーム」とは、画素Ｐの各々を階調値で指定される階調となるように、すべての画素Ｐをサブフィールド毎に繰り返して走査するのに要する単位期間をいう。
このため、同期信号Ｓyncに含まれる垂直同期信号の周期と、すなわち上位装置から供給される表示すべき１画面分の映像データＶid-inが供給される期間と、電気光学装置１において１画面分を作成するための走査に要する期間と、は異なっていてもよいが、本実施形態では、説明を簡略化するために同じとする。
【００２５】
１フレームは、本実施形態では、前半のサブフィールドＳｆ１〜Ｓｆ１０と、後半のサブフィールドＳｆ１１〜Ｓｆ２０との２ブロックに大別される。このうち、前半のサブフィールドＳｆ１〜Ｓｆ１０について、時間的に後方に向かうにつれて、期間長が徐々に長くなっている。サブフィールドＳｆ１〜Ｓｆ１０における書込極性については、サブフィールドＳｆ１では正極性が指定され、サブフィールドＳｆ２では負極性が指定され、以下のサブフィールドＳｆ３からサブフィールドＳｆ１０まで、正極性または負極性が交互に指定される。
【００２６】
１フレーム期間のうち、後半のサブフィールドＳｆ１１〜Ｓｆ２０の各期間長については、それぞれサブフィールドＳｆ１〜Ｓｆ１０における各期間長と同様となっている。なお、サブフィールドＳｆ１１〜Ｓｆ２０の各書込極性については、サブフィールドＳｆ１〜Ｓｆ２０の各書込極性を反転した関係となっている。
【００２７】
図７は、液晶パネル１０における走査を説明するため図である。
図７の上欄に示されるように、スタートパルスＳpxが、１行目の画素におけるサブフィールドＳｆ１〜Ｓｆ２０の開始タイミングに合わせて走査制御回路３５から走査線駆動回路に供給される。
走査線駆動回路１３０は、スタートパルスＳpxをクロック信号（図示省略）によって順次転送等することによって走査信号Ｙ１〜Ｙｍを出力する。これにより走査信号Ｙ１〜Ｙｍは、順次Ｈレベルとなって、走査線１１２は１行ずつ排他的に選択される。
なお、スタートパルスＳpx、クロック信号は、上述した制御信号Ｙctrに含まれる。
【００２８】
図７において下欄は、走査線１１２の行数である１行目からｍ行目までを縦軸にとり、経過時間を横軸とったときに、走査信号Ｙ１〜Ｙｍによって選択される走査線の時間的推移を示す図である。
走査線の選択を仮に走査線毎の黒点で示したとき、走査線１１２は１行ずつ排他的に選択されるので、選択される走査線は、時間経過とともに順次１行目からｍ行目に移行する。このため、選択される走査線を示す黒点が、時間経過とともに、右下がりの連続点で示されることになり、図では、簡略的に表記するために右下がりの実線で示されている。
【００２９】
あるサブフィールドにおいて、ｉ行目の走査線１１２が選択されたとき、ｊ列目のデータ線１１４には、当該サブフィールドにおいて、ｉ行ｊ列の液晶素子のオンまたはオフを指定し、かつ、当該書込極性に応じた電圧のデータ信号が供給される。このため、当該サブフィールドにおいて、ｉ行ｊ列の液晶素子は、指定されたオンまたはオフで駆動される。
【００３０】
図８は、本実施形態に係る電気光学装置１における処理回路３０の電気的な構成を示すブロック図である。図８に示されるように、処理回路３０は、Ｓｆｃ変換テーブル３０２、フレームメモリー３０４、変化方向検出部３０６、Ｓｆｃ変換テーブル３０８、比較部３１０、Ｓｆｃ変更部３２０、Ｓｆｃメモリー３２２および極性付与部３２４を含む。
【００３１】
Ｓｆｃ変換テーブル３０２は、サブフィールドコード変換部の一例であり、上位装置から供給される映像データＶid-inで指定される階調値を、画素毎に、サブフィールドコードに変換する。
ここで、サブフィールドコードとは、ある階調値を画素Ｐで表現するために、サブフィールドＳｆ１〜Ｓｆ２０の各々において、それぞれ当該画素Ｐに含まれる液晶素子をオンとするのか、オフとするのかを指定するコードをいう。
なお、Ｓｆｃ変換テーブル３０２の変換内容については後述する。
【００３２】
また、本実施形態では、１フレームが２０個のサブフィールドで構成されるので、１つの画素Ｐに対応するサブフィールドコードは全部で２０である。実施形態では、映像データＶid-inを７ビットとしているので、画素Ｐへの階調値が、最も透過率の低い「０」から最も透過率の高い「１２７」までの１２８段階で指定される。
【００３３】
フレームメモリー３０４では、上位装置から供給される映像データＶid-inが一旦記憶されるととともに、１フレーム経過したときに当該映像データが読み出される。このため、フレームメモリー３０４から読み出される映像データは、画素Ｐ毎に、上位装置から供給される映像データＶid-inに対して１フレーム分だけ遅延した関係となっている。
なお、映像信号を区別するために、上位装置から供給される映像データＶid-inで特定されるフレームを「現フレーム」と称呼し、フレームメモリー３０４から遅延して読み出される映像データで特定されるフレームを「前フレーム」と称呼するが、現フレームは、前フレームに対して相対的に遅延した関係を有するものであればよい。
【００３４】
変化方向検出部３０６は、現フレームの映像データと前フレームの映像データとを画素Ｐ単位で比較して、現フレームの映像データで示される画素の階調値が、前フレームの映像データで示される画素の階調値よりも小さくなっているか否か、すなわち、階調値の変化が暗くなる方向であるか否かを検出する。
【００３５】
Ｓｆｃ変換テーブル３０８は、前フレームの映像データで指定される階調値を、画素毎に、サブフィールドコードに変換する。ただし、Ｓｆｃ変換テーブル３０８は、Ｓｆｃ変換テーブル３０２と異なり、２０コードのうち、サブフィールドＳｆ１７〜Ｓｆ２０に対応する後端４コードを出力する。
【００３６】
図９は、処理回路３０におけるＳｆｃ変換テーブル３０２の変換内容の一例を示す図である。
この図に示されるように、Ｓｆｃ変換テーブル３０２では、「０」から「１２７」までの各階調値に対し、サブフィールドＳｆ１〜Ｓｆ２０において、画素Ｐに含まれる液晶素子をオンとするのか、オフとするのかを指定するコードが対応付けられている。
ここで、１つのサブフィールドに対応した白色の四角枠は、液晶素子を当該サブフィールドにおいてオンに指定することを意味し、いずれか１つのサブフィールドに対応した黒色の四角枠は、液晶素子を当該サブフィールドにおいてオフに指定することを意味する。
なお、オンを指定するコードを「１」とし、オフを指定するコードを「０」としたとき、例えば、階調値「８０」の映像データＶid-inは、Ｓｆｃ変換テーブル３０２によって、サブフィールドＳｆ１〜Ｓｆ２０において順に「１１１１１１００００００１１１１００００」のサブフィールドコードに変換される。
【００３７】
図９に示される変換内容によって、１フレームでみたときの液晶素子での透過率が、階調値の増減に応じて順次変化するように、階調値に応じたサブフィールドコードが指定される。
なお、図９に示される変換内容の特徴点は、次のとおりである。
詳細には、第１に、前半のサブフィールドＳｆ１〜Ｓｆ１０の変換内容と、後半のサブフィールドＳｆ１１〜Ｓｆ２０の変換内容とは、類似している。
第２に、階調値が最高の「１２７」から低下する場合に、期間が長いサブフィールドから順にオフのコード「０」となるように変換される。詳細には、図９の例では、階調値が「１２７」から低下する場合に、階調値が「１２２」になると、サブフィールドＳｆ２０においてオフが指定され、さらに階調値が低下して「１１７」になると、サブフィールドＳｆ１９においてオフが指定され、階調値が低下して「１０７」になると、サブフィールドＳｆ１８においてオフが指定され、階調値が低下して「８３」になると、サブフィールドＳｆ１７においてオフが指定される。
【００３８】
このため、透過率を決める支配的な要素が、比較的期間の長いサブフィールドＳｆ１７〜Ｓｆ２０（Ｓｆ７〜Ｓｆ１０）のオンまたはオフの期間長の和になる。一方で、透過率を細かく決める要素が、比較的期間の短いサブフィールドＳｆ１１〜Ｓｆ１６（Ｓｆ１〜Ｓｆ６）のオンまたはオフの期間長の和になっている。
【００３９】
図９において、便宜的に、サブフィールドＳｆ１７〜Ｓｆ２０がすべて「１」となる階調値の範囲をグループＡとし、サブフィールドＳｆ１７〜Ｓｆ２０のうち、サブフィールドＳｆ１７〜Ｓｆ１９が「１」で、サブフィールドＳｆ２０が「０」となる階調値の範囲をグループＢとし、サブフィールドＳｆ１７およびＳｆ１８が「１」で、サブフィールドＳｆ１９およびＳｆ２０が「０」となる階調値の範囲をグループＣとし、サブフィールドＳｆ１７が「１」で、サブフィールドＳｆ１８〜Ｓｆ２０が「０」となる階調値の範囲をグループＤとし、サブフィールドＳｆ１７〜Ｓｆ２０がすべて「０」となる階調値の範囲をグループＥとする。
同じグループに属する階調値では、サブフィールドＳｆ１１〜Ｓｆ１６（Ｓｆ１〜Ｓｆ６）のオンまたはオフの期間長の和の短長を調整することで、透過率に差が出るようにサブフィールドコードが決定されている。
【００４０】
図１０は、各グループでの透過率を時間経過とともに示す図である。詳細には、図１０は、ある１フレームにおいて、グループＡ〜Ｅでの代表的な階調値をサブフィールドコードに変換し、当該サブフィールドコードに応じて液晶素子をオンまたはオフで駆動した後、次の１フレームにおいて最低の階調値「０」とするために液晶素子をほぼ全オフ駆動した場合に、当該液晶素子の透過率の時間的変化を示している。
比較的期間が長く、１フレーム期間の終端側に位置するサブフィールドＳｆ１１〜Ｓｆ１６のオンオフパターンは、グループＡ〜Ｅ毎に、それぞれ同一である。このため、ある１フレームの終了タイミングでの液晶素子の透過率（以下「終端透過率」という）は、グループＡ〜Ｅ毎にそれぞれほぼ等しくなる。
【００４１】
図１１は、各グループにおける終端透過率の範囲を示す図である。
図１１に示されるように、
グループＡでは、終端透過率が０．９〜１．０の範囲になるように、
グループＢでは、終端透過率が０．７〜０．９の範囲になるように、
グループＣでは、終端透過率が０．３〜０．７の範囲になるように、
グループＤでは、終端透過率が０．１〜０．３の範囲になるように、
グループＥでは、終端透過率が０．０〜０．１の範囲になるように、
それぞれ設定されている。
【００４２】
説明を再び図８に戻すと、比較部３１０は、ある画素Ｐについて、現フレームの映像データを変換したサブフィールドコードの全２０コードのうち、後端４コードと、前フレームの映像データを変換した後端４コードと、を比較して、その排他的論理和を求める。このため、排他的論理和のうち「１」の個数は、現フレームの後端４コードおよび前フレームの後端４コード同士を比較したときに、相違しているコードの個数（以下「相違数」という）を示すことになる。
【００４３】
Ｓｆｃ変更部３２０は、サブフィールドコード変更部の一例であり、ある画素Ｐについて、現フレームの映像データを変換したサブフィールドコードのうち、前端４コードの一部または全部を、変化方向検出部３０６により検出された階調値変化方向および比較部３１０により求められた相違数に基づいて変更する。なお、Ｓｆｃ変更部３２０は、サブフィールドコードを変更しない場合もある。
【００４４】
Ｓｆｃメモリー３２２には、Ｓｆｃ変更部３２０から出力されたサブフィールドコードが一旦記憶されるとともに、走査制御回路３５による液晶パネル１００の走査対象となる画素であって、サブフィールド番号Ｓfnで特定されるサブフィールド、すなわち、走査時点におけるサブフィールドに対応したコードが読み出される。
極性付与部３２４は、Ｓｆｃメモリーから読み出されたコードを、走査制御回路３５によって指定された書込極性Ｐolのデータ信号に変換する。詳細には、極性付与部３２４は、図５に示されるように、読み出されたコードが「１」であって、正極性書込が指定されていれば、１２ボルトの正極性オン信号を、負極性書込が指定されていれば、２ボルトの負極性オン信号を、それぞれ出力し、読み出されたコードが「０」であれば、書込極性によらずに、７ボルトのオフ信号を出力する。
【００４５】
図１２は、処理回路３０の動作のうち、ある特定の画素Ｐに着目して、当該特定の画素Ｐのサブフィールドコードについて変更動作について説明するためのフローチャートである。
７ビットの映像データＶid-inによって、当該画素Ｐに指定された階調値、すなわち、現フレームにおいて当該画素Ｐに指定された階調値は、Ｓｆｃ変換テーブル３０２によって２０コードのサブフィールドコードに変換される（ステップＳ１０）。
当該画素Ｐの階調値を指定する７ビットの映像データＶid-inが、フレームメモリー３０４に一旦記憶される一方で、前フレームにおいて当該画素Ｐの階調値を指定する映像データがフレームメモリー３０４から読み出される（ステップＳ１２）。
【００４６】
フレームメモリー３０４から読み出され、前フレームにおいて当該画素Ｐの階調値を指定する映像データは、Ｓｆｃ変換テーブル３０８によってサブフィールドＳｆ１７〜Ｓｆ２０に対応する後端４コードに変換される（ステップＳ１４）。
現フレームにおいて当該画素Ｐに指定された階調値と、前フレームにおいて当該画素Ｐに指定された階調値とが比較されて、階調値の変化が小さい方向であるか否か、すなわち、暗くなる方向であるか否かが、変化方向検出部３０６によって判別される（ステップＳ１６）。
【００４７】
階調値の変化方向にかかわらず、比較部３１０によって、当該画素Ｐについて現フレームにおけるサブフィールドコードのうち、後端４コードと、前フレームにおけるサブフィールドコードのうち、後端４コードとが比較されて、コードの相違数が求められる（ステップＳ１８、Ｓ３８）。
次に、比較部３１０による相違数が「０」であるか否かが、Ｓｆｃ変更部３２０によって判別される（ステップＳ２０、Ｓ４０）。
相違数が「０」であれば（ステップＳ２０、Ｓ４０の判別結果が「Ｙｅｓ」であれば）、現フレームにおけるサブフィールドコードは、Ｓｆｃ変更部３２０によって特に変更されずに、そのまま出力されて、当該画素Ｐについての変更処理が終了し、処理の対象が次の画素に移行して同様な変更動作が実行される。
【００４８】
相違数が「０」でなければ（ステップＳ２０、Ｓ４０の判別結果が「Ｎｏ」であれば）、相違数が「１」であるか否かがＳｆｃ変更部３２０によって判別される（ステップＳ２２、Ｓ４２）。
相違数が「１」である場合に（ステップＳ２２、Ｓ４２の判別結果が「Ｙｅｓ」である場合に）、階調値の変化が小さくなる方向であったならば（ステップＳ１６の判別結果が「Ｙｅｓ」であったならば）、Ｓｆｃ変更部３２０によって、現フレームにおけるサブフィールドコードのうち、前端１コードが「０」に変更される（ステップＳ２４）。一方、この場合において、階調値の変化が小さくなる方向でなかったならば（ステップＳ１６の判別結果が「Ｎｏ」であったならば）、Ｓｆｃ変更部３２０によって、現フレームにおけるサブフィールドコードのうち、前端１コードが「１」に変更される（ステップＳ４４）。
【００４９】
相違数が「１」でなければ（ステップＳ２２、Ｓ４２の判別結果が「Ｎｏ」であれば）、相違数が「２」であるか否かがＳｆｃ変更部３２０によって判別される（ステップＳ２６、Ｓ４６）。
相違数が「２」である場合に（ステップＳ２６、Ｓ４６の判別結果が「Ｙｅｓ」である場合に）、階調値の変化が小さくなる方向であったならば（ステップＳ１６の判別結果が「Ｙｅｓ」であったならば）、Ｓｆｃ変更部３２０によって、現フレームにおけるサブフィールドコードのうち、前端２コードが「００」に変更される（ステップＳ２８）。一方、この場合において、階調値の変化が小さくなる方向でなかったならば（ステップＳ１６の判別結果が「Ｎｏ」であったならば）、Ｓｆｃ変更部３２０によって、現フレームにおけるサブフィールドコードのうち、前端２コードが「１１」に変更される（ステップＳ４８）。
【００５０】
相違数が「２」でなければ（ステップＳ２６、Ｓ４６の判別結果が「Ｎｏ」であれば）、相違数が「３」であるか否かがＳｆｃ変更部３２０によって判別される（ステップＳ３０、Ｓ５０）。
相違数が「３」である場合に（ステップＳ３０、Ｓ５０の判別結果が「Ｙｅｓ」である場合に）、階調値の変化が小さくなる方向であったならば（ステップＳ１６の判別結果が「Ｙｅｓ」であったならば）、Ｓｆｃ変更部３２０によって、現フレームにおけるサブフィールドコードのうち、前端３コードが「０００」に変更される（ステップＳ３２）。一方、この場合において、階調値の変化が小さくなる方向でなかったならば（ステップＳ１６の判別結果が「Ｎｏ」であったならば）、Ｓｆｃ変更部３２０によって、現フレームにおけるサブフィールドコードのうち、前端３コードが「１１１」に変更される（ステップＳ５２）。
【００５１】
また、相違数が「３」でなければ（ステップＳ３０、Ｓ５０の判別結果が「Ｎｏ」であれば）、それは相違数が「４」の場合である。
この場合に、階調値の変化が小さくなる方向であったならば（ステップＳ１６の判別結果が「Ｙｅｓ」であったならば）、Ｓｆｃ変更部３２０によって、現フレームにおけるサブフィールドコードのうち、前端４コードが「００００」に変更される（ステップＳ３６）。一方、この場合において、階調値の変化が小さくなる方向でなかったならば（ステップＳ１６の判別結果が「Ｎｏ」であったならば）、Ｓｆｃ変更部３２０によって、現フレームにおけるサブフィールドコードのうち、前端４コードが「１１１１」に変更される（ステップＳ５６）。
【００５２】
なお、ステップＳ２４、Ｓ２８、Ｓ３２、Ｓ３６、Ｓ４４、Ｓ４８、Ｓ５２またはＳ５６の変更後、当該画素Ｐについての変更処理が終了し、処理の対象が次の画素に移行して同様な変更動作が実行される。
【００５３】
このように、本実施形態では、１フレームが図６に示されるサブフィールドＳｆ１〜Ｓｆ２０に分割され、映像データＶid-inで指定される階調値をサブフィールドＳｆ１〜Ｓｆ２０毎に、画素のオンまたはオフ駆動を指定するサブフィールドコードに変換する構成を前提として、前フレームから現フレームへの階調値の変化がオフ方向の暗くなる方向であれば、現フレームにおけるサブフィールドコードの前端側コードを順に、コードの相違数に応じてオフのコードである「０」に変更し、階調値の変化がオン方向の明るくなる方向であれば、現フレームにおけるサブフィールドコードの前端側コードを順に、相違数に応じてオンのコードである「１」に変更する構成としている。
【００５４】
このような構成としている理由について説明する。
階調値の「０」から「１２７」までの範囲をグループＡ〜Ｅに分類した場合、階調値の変化が、同じグループ同士であれば、終端透過率がほぼ同じになるので、現フレームのサブフィールドコードを変更しなくても、目的とする光学応答（透過率変化）が得られる。
しかしながら、前フレームの階調値が、あるグループに属する場合に、現フレームの階調値が属するグループから離れるにつれて、終端透過率の差が大きくなる。
【００５５】
階調値が属するグループについては、本実施形態では、図１１に示されるように、サブフィールドコードの後端４コードで特定され、階調値からサブフィールドコードの変換内容については、暗くなる方向に向かうにつれて、後端側のコードが順に「０」になる。このため、図１３に示されるように、前フレームのサブフィールドコードの後端４コードと、現フレームのサブフィールドコードの後端４コードとに相違数が大きいほど、終端透過率の差が大きくなる。
なお、図１３の右上半分が階調値の変化方向が小となる場合、すなわち暗くなる方向の変化する場合を示し、左下半分が階調値の変化方向が大となる場合、すなわち明るくなる方向の変化する場合を示す。
【００５６】
本実施形態では、１フレームが前半のサブフィールドＳｆ１〜Ｓｆ１０と後半のサブフィールドＳｆ１１〜Ｓｆ２０とに分割されている。階調値からサブフィールドコードへの変換内容は、図９に示されるように、完全同一ではないものの、比較的期間の長いサブフィールドではほぼ同じという内容になっている。
【００５７】
グループＡ〜Ｅのうち、同じグループ同士での階調値変化であれば、終端透過率がほぼ同じになっている理由は、期間長の長いサブフィールドでのオンオフのパターンが揃えられているためである。この理由からすれば、同じグループ同士の階調値変化であれば、後半のブロックだけでなく、前半のブロックの終了時の透過率もほぼ同じであると考えられる。
各グループにおいて、前半のブロックの終了時の透過率がほぼ同じということは、つまり、後半ブロックの開始時の透過率がほぼ同じということでもある。このため、後半ブロックに限っていえば、当該ブロックにおける液晶素子の光学応答は、前フレームの階調値の影響をほとんど受けない、ということができる。
【００５８】
このため、あるフレームにおいて、サブフィールドコードに対応した光学特性にならない原因は、前フレームでの終端透過率の影響によるものと考えられる。詳細には、終端透過率の差が大きいと、サブフィールドコードにしたがって液晶素子を駆動しても、１フレームの前端側では、当該サブフィールドコードに対応した光学特性からずれてしまうため、と考えられる。
【００５９】
そこで、本実施形態では、終端透過率の差に応じて、すなわち相違数に応じて、１フレームの前端側にあるサブフィールドコードを、階調値の変化方向にさせるコードに変更して、１フレームの前端側で補正する、という内容としている。
この点について図面を参照して説明する。
【００６０】
図１４は、本実施形態の優位性を説明するために、サブフィールドコードが変更されない場合の光学応答を示す図であり、図１５は、本実施形態のように、サブフィールドコードが変更される場合の光学応答を示す図である。
なお、図１４および図１５は、前フレームで階調値の「１２７」が指定されていた状態において、現フレームで階調値が「８０」に変化した場合の例を示している。
ここで、階調値が「１２７」である場合のサブフィールドコードはオール「１」であり、階調値が「８０」である場合のサブフィールドコードは上述したように「１１１１１１００００００１１１１００００」である。
また、図１４および図１５の例において実線は、実際の液晶素子の化学応答を示し、破線は、階調値が「８０」である場合の理想的な、あるいは、設計上の液晶素子の化学応答を示している。
【００６１】
図１４に示されるように、サブフィールドコードが変更されない場合、階調値が「８０」である場合のサブフィールドコードは、前端側において「１」で連続しているので、前フレームにおける終端透過率の「１．０」の状態が継続してしまい、前半ブロックでは、階調値が「８０」である場合の、透過率が徐々に高まる理想的な状態から、乖離してしまう。なお、後半ブロックでは、上述したように、前フレームの影響を受けにくいので、実際の光学応答は、理想的な特性とほぼ一致する。
したがって、階調値が「１２７」から現フレームで「８０」に変化したときに、現フレームの前半ブロックでの乖離によって、階調値が「８０」に応じた光学特性とはならない、という不都合がある。
【００６２】
一方、本実施形態において、階調値が「１２７」から現フレームで「８０」に変化したときに、階調値変化が小さくなる方向であって、階調値の「１２７」が属するグループＡから階調値の「８０」が属するグループＥへの変化であるので、コードの相違数が「４」となる。
したがって、階調値が「８０」であるサブフィールドコードは「１１１１１１００００００１１１１００００」のうち、前端４コードがオフ方向に対応し、かつ、相違数の「４」に対応した「００００」に変更される。
このため、本実施形態では、図１５に示されるように、現フレームの開始から変化方向であるオフ方向に変化するので、上記乖離の程度を小さく抑えることができる。
【００６３】
このように本実施形態によれば、サブフィールド駆動であっても、液晶素子のような電気光学素子の光学応答を改善することが可能となるため、オーバードライブのような階調乖離抑制効果を得ることができる。
【００６４】
また、サブフィールド駆動においては、単純に前フレームの階調値と現フレームの階調値とを２引数として、現フレームのサブフィールドコードを決定する構成も考えられる。
しかしながら、このような構成では、例えば階調値が７ビットであれば、前フレームの階調値と現フレームの階調値との組み合わせが１６３８４（＝２７×２７）通りとなる。１つの組み合わせについてどのようなサブフィールドコードとするかについては、実際に光学応答を測定して決定する必要がある。仮に１つの組み合わせについて測定に要する時間が１秒であるとすると、上記組み合わせをすべて測定するのに約４．６時間もかかってしまうことになる。さらに、液晶素子のような電気光学素子は、液晶パネルの周辺環境（典型的には温度）が変化すると、光学応答の特性も変化することが知られている。このため、温度等に合わせて、予め複数のＳｆｃ変換テーブルを用意して、温度に応じていずれかのＳｆｃ変換テーブルを選択する必要があるので、計測に必要な時間は用意するテーブル数分だけさらに倍化することになる。
このため、上記の構成では、計測に必要な時間が長くかかるだけでなく、上記テーブルの記憶容量も大きくなる、という欠点がある。
【００６５】
これに対して本実施形態では、透過率を決める支配的な要素が、比較的期間の長いサブフィールドでのオンまたはオフの期間長の和となる一方で、透過率を細かく決める要素が、比較的期間の短いサブフィールドのオンまたはオフの期間長の和となっている。
このため、本実施形態では、液晶パネルの周辺環境が変動しても、比較的期間の長いサブフィールドでのオンオフパターンは変更しないで、比較的期間の短いサブフィールドのオンオフパターンを変更するだけで済むので、上記の構成のような欠点による影響を受けにくくすることができる。
【００６６】
なお、実施形態では、液晶素子をノーマリーブラックモードとして説明したが、ノーマリーホワイトモードとしてもよい。ノーマリーホワイトモードでは、液晶素子をオンする方向が階調値を小さくする方向（暗くする方向）であり、液晶素子をオフする方向が階調値を大きくする方向（明るくする方向）となる。
【００６７】
また、実施形態では、ブロック数を「２」としたが、「４」以上の偶数としてもよい。ブロック数を偶数とする理由は、液晶素子を交流駆動するために正極性書込および負極性書込における期間の対称性を確保するためである。電気光学素子を液晶素子以外とする場合、すなわち、交流駆動する必要がない場合、例えば電気光学素子にＯＬＥＤを用いるような場合には、ブロック数「１」以上であればよい。なお、ＯＬＥＤは、Organic Light Emitting Diodeの略である。
【００６８】
ブロック数が「２」以上である場合、各ブロックの終端透過率がほぼ同じである。このため、前フレームの終端透過率の影響を受けやすいという意味で１フレームの最初の１番目のブロックの前端コードを変更する構成が好ましい。ただし、ブロック数が多いと、２番目以降のブロックの影響を受ける場合があるので、２番目以降のブロックの前端コードを変更してもよい。
【００６９】
実施形態では、前フレームにおけるサブフィールドコードの後端４コードと、現フレームのサブフィールドコードの後端４コードとを比較したが、階調値からサブフィールドコードへの変換内容によっては、後端側であれば、４コード以外であってもよい。
【００７０】
また、実施形態では、現フレームの前端４コードを相違数に応じて変更したが、比較する後端コードを変更対象としないとのであれば、「４」以外であってもよい。また、相違数と変更するコード数とを一致させなくてもよい。
例えば、後端４コード同士を比較する構成において、現フレームの前端５コードのうち、相違数が「１」であれば前端１コードを、相違数が「２」であれば前端２コードを、相違数が「３」であれば前端４コードを、相違数が「４」であれば前端５コードを、それぞれ変更してもよい。すなわち、階調値の変化が大きい場合に、変更するコード数を増加させてもよい。
【００７１】
＜電子機器＞
次に、実施形態等に係る電気光学装置１を適用した電子機器について説明する。
【００７２】
図１５は、上述した電気光学装置１の液晶パネル１０をライトバルブとして用いた３板式の液晶プロジェクターの構成を示す図である。図１５に示されるように、液晶プロジェクター２１００は、液晶パネル１０Ｒ、１０Ｇおよび１０Ｂを備える。液晶パネル１０Ｒ、１０Ｇおよび１０Ｂは、実施形態等における液晶パネル１０と同様であり、上位装置（図示省略）から供給されるＲ、Ｇ、Ｂの各色に対応する映像データに基づいた透過像をそれぞれ生成する。
【００７３】
液晶プロジェクター２１００の内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によって、赤、緑および青の３原色に分離される。このうち、赤の光は液晶パネル１０Ｒに、緑の光は液晶パネル１０Ｇに、青の光は液晶パネル１０Ｂに、それぞれ入射する。
なお、青の光の光路は、他の赤や緑と比較して長い。このため、青の光は、光路での損失を防ぐために、入射レンズ２１２２、リレーレンズ２１２３および出射レンズ２１２４からなるリレーレンズ系２１２１を介して液晶パネル１０Ｂに導かれる。
【００７４】
液晶パネル１０Ｒは、赤色成分のデータ信号を、走査線駆動回路１３０およびデータ線駆動回路１４０によって画素Ｐ毎に書き込む。液晶パネル１０Ｒにおいて、画素Ｐにデータ信号が書き込まれると、当該データ信号に応じた透過率となる。このため、液晶パネル１０Ｒでは、入射した赤の光が画素毎に透過率が制御されるので、表示すべき画像のうち、赤の成分の透過像が生成されることになる。
同様に、液晶パネル１０Ｇおよび１０Ｂでは、緑色成分のデータ信号および青色成分のデータ信号が、駆動回路によって画素毎に書き込まれて、それぞれ表示すべき画像のうち、緑および青の成分の透過像が生成される。
【００７５】
液晶パネル１０Ｒ、１０Ｇおよび１０Ｂによってそれぞれ生成された各色の透過像は、ダイクロイックプリズム２１１２に３方向から入射する。そして、このダイクロイックプリズム２１１２において、ＲおよびＢの光は９０度に屈折する一方、Ｇの光は直進する。したがって、各色の画像が合成された後、スクリーン２１２０には、投射レンズ２１１４によってカラー画像が投射される。
なお、液晶パネル１０Ｒ、１０Ｂによる各透過像は、ダイクロイックプリズム２１１２により反射した後に投射されるのに対し、液晶パネル１０Ｇの透過像は直進して投射される。このため、液晶パネル１０Ｒ、１０Ｂによる各透過像は、液晶パネル１０Ｇの透過像に対して左右反転した関係となっている。
【符号の説明】
【００７６】
１…電気光学装置、３…制御回路、５…液晶、１０…液晶パネル、１００…素子基板、１１８…画素電極、１３０…走査線駆動回路、１４０…データ線駆動回路、２００…対向基板、２０８…対向電極、３０２、３０８…Ｓｆｃ変換テーブル、３０６…変化方向検出部、３１０…比較部、３２０…Ｓｆｃ変更部。
【図１】
2020064103.tif 000003
【図２】
2020064103.tif 000004
【図３】
2020064103.tif 000005
【図４】
2020064103.tif 000006
【図５】
2020064103.tif 000007
【図６】
2020064103.tif 000008
【図７】
2020064103.tif 000009
【図８】
2020064103.tif 000010
【図９】
2020064103.tif 000011
【図１０】
2020064103.tif 000012
【図１１】
2020064103.tif 000013
【図１２】
2020064103.tif 000014
【図１３】
2020064103.tif 000015
【図１４】
2020064103.tif 000016
【図１５】
2020064103.tif 000017
【図１６】
2020064103.tif 000018